(57)【特許請求の範囲】
【請求項１】
ヘルメットであって、前記ヘルメットは、
圧縮によって衝撃エネルギーを吸収するように構成されているエネルギー吸収材料を含む内側シェル（３）と、
外側シェル（２）と、
前記内側シェル（３）と前記外側シェル（２）との間の中間層（４）であって、前記中間層（４）は、低摩擦材料から形成されている、中間層（４）と、
前記内側シェル（３）を前記外側シェル（２）に接続するように構成されている少なくとも１つの接続部材（５）であって、前記少なくとも１つの接続部材（５）は、前記外側シェル（２）が前記ヘルメットに取り付けられているときに、前記内側シェル（３）と前記外側シェル（２）との間の滑動を可能にする、少なくとも１つの接続部材（５）と
を含み、
前記外側シェル（２）が取り付けられているときに、前記外側シェル（２）および前記内側シェル（３）は、衝撃に応答して互いに対して滑動するように構成されており、滑動インターフェースが、前記中間層（４）と、前記外側シェル（２）および前記内側シェル（３）のうちの一方または両方との間に設けられており、前記滑動インターフェースにおいて、前記外側シェル（２）および／または前記内側シェル（３）が、前記中間層（４）に対して滑動するように構成されており、
前記少なくとも１つの接続部材（５）は、前記内側シェル（３）を前記外側シェル（２）に直接的に接続するように構成されており、
前記中間層（４）は、前記少なくとも１つの接続部材（５）のそれぞれに関連付けられた孔部（１４）を有しており、前記ヘルメットは、前記内側シェル（３）と前記外側シェル（２）との間のそれぞれの接続部材（５）が関連の前記孔部（１４）を通過するように構成されており、
それぞれの孔部（１４）は、前記孔部（１４）を通過する接続部材（５）が前記孔部（１４）の前記縁部と接触することなく、衝撃の間の前記内側シェル（３）と前記外側シェル（２）との間の滑動を可能にするのに十分に大きくなっており、
前記内側シェル（３）および前記外側シェル（２）のうちの少なくとも１つが、前記少なくとも１つの接続部材（５）に取り外し可能に接続されており、前記外側シェル（２）が、前記内側シェル（３）から取り外し可能になっている、ヘルメット。
【請求項２】
前記内側シェル（３）および前記外側シェル（２）のうちの少なくとも１つが、前記少なくとも１つの接続部材（５）に取り外し可能に接続されている、請求項１に記載のヘルメット。
【請求項３】
滑動インターフェースが、前記中間層（４）と前記外側シェル（２）との間に設けられており、前記ヘルメットは、前記中間層（４）が衝撃の間に前記内側シェル（３）に対して固定された位置に留まるように構成されている、請求項１または２に記載のヘルメット。
【請求項４】
滑動インターフェースが、前記中間層（４）と前記内側シェル（３）との間に設けられており、前記ヘルメットは、前記中間層（４）が衝撃の間に前記外側シェル（２）に対して固定された位置に留まるように構成され得る、請求項１から３のいずれか一項に記載のヘルメット。
【請求項５】
前記少なくとも１つの接続部材（５）は、前記内側シェル（３）と前記外側シェル（２）との間の滑動を許容するように変形可能である、請求項１から４のいずれか一項に記載のヘルメット。
【請求項６】
滑動インターフェースが、前記中間層（４）と前記内側シェル（３）との間、および、前記中間層（４）と前記外側シェル（２）との間の両方に設けられている、請求項１から５のいずれか一項に記載のヘルメット。
【請求項７】
前記外側シェル（２）は、前記内側シェル（３）と比べて硬質の材料から形成されている、請求項１から６のいずれか一項に記載のヘルメット。
【発明の詳細な説明】
【技術分野】
【０００１】
本発明は、ヘルメットに関する。とりわけ、本発明は、内側シェルおよび外側シェルが斜めの衝撃の下で互いに対して滑動することができる、ヘルメットに関する。
【背景技術】
【０００２】
ヘルメットは、さまざまな活動における使用に関して知られている。これらの活動は、戦闘目的および産業目的、たとえば、軍人のための保護ヘルメット、および、たとえば、建築業者、鉱山労働者、または、産業用機械のオペレーターによって使用される硬質のハットまたはヘルメットなどを含む。また、ヘルメットは、スポーツ活動においても一般的である。たとえば、保護ヘルメットは、アイス・ホッケー、サイクリング、モーター・サイクリング、モーター・カー・レース、スキー、スノーボード、スケート、スケートボード、乗馬活動、アメリカン・フットボール、ベースボール、ラグビー、クリケット、ラクロス、クライミング、エアソフト、およびペイントボールにおいて使用されている。
【０００３】
ヘルメットは、頭部の異なるサイズおよび形状にフィットするように、固定されたサイズのものであるか、または、調節可能であり得る。いくつかのタイプのヘルメットでは、たとえば、一般的にアイス・ホッケー・ヘルメットでは、調節可能性は、ヘルメットの外側寸法および内側寸法を変化させるために、ヘルメットのパーツを移動させることによって提供され得る。これは、互いに対して移動することができる２つ以上のパーツを備えたヘルメットを有することによって実現され得る。他のケースでは、たとえば、一般的にサイクリング・ヘルメットでは、ヘルメットは、ヘルメットをユーザーの頭部に固定するための取り付けデバイスを設けられており、取り付けデバイスは、ヘルメットの本体部またはシェルが同じサイズのままの状態で、ユーザーの頭部にフィットするように寸法がさまざまであることが可能である。ユーザーの頭部の上にヘルメットを据え付けるためのそのような取り付けデバイスは、追加的なストラップ（たとえば、あごひもなど）とともに使用され、ヘルメットを適切な場所にさらに固定することが可能である。また、これらの調節メカニズムの組み合わせも可能である。
【０００４】
ヘルメットは、外側シェル（それは、通常、硬質であり、プラスチックまたは複合材料から作製されている）と、ライナーと呼ばれるエネルギー吸収層とから作製されていることが多い。最近では、保護ヘルメットは、なかでも、特定の荷重において脳の重心に起こり得る最大加速度に関する特定の法的必要条件を満たすように設計されなければならない。典型的に、テストが実施され、テストでは、ヘルメットを装備したダミー頭蓋骨として知られるものが、頭部に向かう半径方向の打撃にさらされる。これは、頭蓋骨に対して半径方向への打撃のケースにおいて良好なエネルギー吸収能力を有する現代のヘルメットを結果として生じさせた。また、回転エネルギーを吸収するかもしくは消散させることによって、および／または、それを回転エネルギーというよりもむしろ並進エネルギーの方向へと変えることによって、斜めの打撃（すなわち、それは、接線方向および半径方向の両方の成分を組み合わせる）から伝達されるエネルギーを少なくするためのヘルメットを開発することに関して進歩がなされてきた（たとえば、ＷＯ２００１／０４５５２６およびＷＯ２０１１／１３９２２４を参照。それらは、両方ともその全体が参照により本明細書に組み込まれている）。
【０００５】
そのような斜めの衝撃は（保護がないときには）、脳の並進加速度および角加速度の両方を結果として生じさせる。角加速度は、脳が頭蓋骨の中で回転することを引き起こし、脳を頭蓋骨に接続する身体の要素、また、脳を脳自身に接続する身体の要素に障害を生成させる。
【０００６】
回転障害の例は、軽度外傷性脳損傷（ＭＴＢＩ）、たとえば、脳震とうなど、ならびに、より深刻な外傷性脳損傷、たとえば、硬膜下血腫（ＳＤＨ）、血管破裂の結果としての出血、およびびまん性軸索損傷（ＤＡＩ）などを含み、びまん性軸索損傷（ＤＡＩ）は、脳組織の中の高い剪断変形の結果として神経繊維が過度に引き伸ばされるものとして要約され得る。
【０００７】
回転力の特性、たとえば、持続期間、振幅、および増加率などに応じて、脳震とう、ＳＤＨ、ＤＡＩ、または、これらの障害の組み合わせのいずれかを負う可能性がある。一般的に言えば、ＳＤＨは、短い持続期間および大きい振幅の加速度のケースにおいて起こり、一方、ＤＡＩは、より長くてより広範囲にわたる加速度荷重のケースにおいて起こる。
【０００８】
加速度の角度成分によって引き起こされる障害を軽減するために、内側シェルおよび外側シェルが、斜めの衝撃の下で互いに対して滑動することができる、ヘルメットが公知である（たとえば、ＷＯ２００１／０４５５２６およびＷＯ２０１１／１３９２２４）。しかし、先行技術のヘルメットは、滑動も可能にしながら、外側シェルが取り外されることを可能にしない。これは、多くの理由のために有用である可能性があり、その理由は、損傷を受けていないそれらのパーツを維持しながら、損傷を受けたパーツを交換するということを含む。本発明は、この問題に少なくとも部分的に対処することを目的とする。
【発明の概要】
【課題を解決するための手段】
【０００９】
本発明によれば、内側シェルと、取り外し可能な外側シェルと、内側シェルと外側シェルとの間の中間層とを含む、ヘルメットが提供される。外側シェルが取り付けられているときに、外側シェルおよび内側シェルは、衝撃に応答して互いに対して滑動するように構成されている。滑動インターフェースが、中間層と、外側シェルおよび内側シェルのうちの一方または両方との間に設けられている。
【００１０】
本発明の第１の態様によれば、少なくとも１つの接続部材は、外側シェルがヘルメットに取り付けられているときに、内側シェルを外側シェルに直接的に接続する。
【００１１】
随意的に、内側シェルおよび外側シェルのうちの少なくとも１つが、少なくとも１つの接続部材に取り外し可能に接続されている。
【００１２】
随意的に、中間層は、少なくとも１つの接続部材のそれぞれに関連付けられた孔部を有しており、ヘルメットは、内側シェルと外側シェルとの間のそれぞれの接続部材が関連の孔部を通過するように構成されている。
【００１３】
随意的に、それぞれの孔部は、孔部を通過する接続部材が孔部の縁部と接触することなく、衝撃の間の内側シェルと外側シェルとの間の滑動を可能にするのに十分に大きくなっている。
【００１４】
随意的に、滑動インターフェースが、中間層と外側シェルとの間に設けられており、ヘルメットは、中間層が衝撃の間に内側シェルに対して固定された位置に留まるように構成されている。代替的に、滑動インターフェースが、中間層と内側シェルとの間に設けられ得り、ヘルメットは、中間層が衝撃の間に外側シェルに対して固定された位置に留まるように構成され得る。
【００１５】
本発明の第２の態様によれば、中間層は、低摩擦材料から形成され得るか、または、低摩擦材料をコーティングされ得り、外側シェルおよび／または内側シェルが、低摩擦材料に接触して滑動するように構成されており、少なくとも１つの接続部材は、中間層を内側シェルおよび外側シェルのうちの一方に直接的に接続するように構成され得り、ヘルメットは、中間層を内側シェルおよび外側シェルのうちの他方に直接的に接続するように構成されている少なくとも１つのコネクターを含むことが可能である。
【００１６】
本発明の第２の態様の第１の例によれば、少なくとも１つの接続部材は、内側シェルを中間層に直接的に接続する。
【００１７】
随意的に、外側シェルは、中間層に取り外し可能に接続されている。代替的に、または、追加的に、内側シェルおよび中間層のうちの少なくとも１つは、少なくとも１つの接続部材に取り外し可能に接続され得る。
【００１８】
本発明の第２の態様の第２の例によれば、少なくとも１つの接続部材は、外側シェルを中間層に直接的に接続している。
【００１９】
随意的に、外側シェルおよび中間層のうちの少なくとも１つが、少なくとも１つの接続部材に取り外し可能に接続されている。代替的に、または、追加的に、中間層は、内側シェルに取り外し可能に接続され得る。
【００２０】
随意的に、本発明の第２の態様の第１または第２の例によるヘルメットにおいて、少なくとも１つのコネクターは、外側シェルがヘルメットに取り付けられているときに、内側シェルおよび外側シェルのうちの他方に対して中間層の位置を固定するように構成され得る。代替的に、少なくとも１つのコネクターは、外側シェルがヘルメットに取り付けられているときに、中間層と内側シェルおよび外側シェルのうちの他方との間の滑動を可能にするように構成され得る。随意的に、上記態様のいずれかのヘルメットにおいて、滑動インターフェースが、中間層と内側シェルとの間、および、中間層と外側シェルとの間の両方に設けられ得る。
【００２１】
随意的に、上記態様のいずれかのヘルメットにおいて、中間層は、低摩擦材料から形成され得るか、または、低摩擦材料をコーティングされ得り、外側シェルおよび／または内側シェルが、低摩擦材料に接触して滑動するように構成されている。
【００２２】
随意的に、上記態様のいずれかのヘルメットにおいて、外側シェルは、内側シェルと比べて硬質の材料から形成され得る。
【００２３】
随意的に、上記態様のいずれかのヘルメットにおいて、内側シェルは、圧縮によって衝撃エネルギーを吸収するように構成されているエネルギー吸収材料を含むことが可能である。
【００２４】
本発明は、添付の図面を参照して、非限定的な例として下記に説明されている。
【図面の簡単な説明】
【００２５】
【図１】斜めの衝撃に対する保護を提供するためのヘルメットを通る断面を示す図である。
【図２】図１のヘルメットの機能する原理を示すダイアグラムである。
【図３Ａ】図１のヘルメット構造の変形例を示す図である。
【図３Ｂ】図１のヘルメット構造の変形例を示す図である。
【図３Ｃ】図１のヘルメット構造の変形例を示す図である。
【図４】別の保護ヘルメットの概略図である。
【図５】図４のヘルメットの取り付けデバイスを接続する代替的な方式を示す図である。
【図６】第１の実施形態によるヘルメットを示す図である。
【図７】外側シェルと中間層との間の取り外し可能な接続の例を示す図である。
【図８】外側シェルと中間層との間の取り外し可能な接続の例を示す図である。
【図９】外側シェルと中間層との間の取り外し可能な接続の例を示す図である。
【図１０】外側シェルと中間層との間の取り外し可能な接続の例を示す図である。
【図１１】外側シェルと中間層との間の取り外し可能な接続の例を示す図である。
【図１２】外側シェルと中間層との間の取り外し可能な接続の例を示す図である。
【図１３】外側シェルと中間層との間の取り外し可能な接続の例を示す図である。
【図１４】外側シェルと中間層との間の取り外し可能な接続の例を示す図である。
【図１５】第２の実施形態によるヘルメットを示す図である。
【図１６】第３の実施形態によるヘルメットを示す図である。
【図１７】第４の実施形態によるヘルメットを示す図である。
【図１８】第５の実施形態によるヘルメットを示す図である。
【図１９】第５の実施形態の修正例によるヘルメットを示す図である。
【図２０】第５の実施形態のさらなる修正例によるヘルメットを示す図である。
【発明を実施するための形態】
【００２６】
さまざまな層の厚さの比率、および、図に示されているヘルメットの中の層同士の間の間隔は、明確化のために、図面の中で誇張されており、当然のことながら、必要および要件にしたがって適合され得る。
【００２７】
図１は、斜めの衝撃に対する保護を提供することが意図された、ＷＯ０１／４５５２６に議論されている種類の第１のヘルメット１を示している。このタイプのヘルメットは、上記に議論されているヘルメットのタイプのいずれかであることが可能である。
【００２８】
保護ヘルメット１は、外側シェル２と、外側シェル２の内側に配置されている内側シェル３とによって構築されている。着用者の頭部との接触が意図された追加的な取り付けデバイスが設けられ得る。
【００２９】
中間層４または滑動促進体が、外側シェル２と内側シェル３との間に配置されており、したがって、外側シェル２と内側シェル３との間の変位を可能にする。とりわけ、下記に議論されているように、中間層４または滑動促進体は、滑動が衝撃の間に２つのパーツの間で起こることができるように構成され得る。たとえば、それは、ヘルメット１の着用者に関して生き残れることが予期される、ヘルメット１の上の衝撃に関連付けられる力の下での滑動を可能にするように構成され得る。いくつかの配置では、摩擦係数が０．００１から０．３の間にあるかおよび／または０．１５を下回るように、滑動層または滑動促進体を構成することが望ましい可能性がある。
【００３０】
図１の図示において、ヘルメット１の縁部部分に配置されているのは、１つまたは複数の接続部材５であることが可能であり、１つまたは複数の接続部材５は、外側シェル２および内側シェル３を相互接続させている。いくつかの配置では、接続部材は、エネルギーを吸収することによって、外側シェル２と内側シェル３との間の相互変位に対抗することが可能である。しかし、これは、必須ではない。さらに、この特徴が存在する場合でも、吸収されるエネルギーの量は、通常、衝撃の間に内側シェル３によって吸収されるエネルギーと比較してわずかである。他の配置では、接続部材５は、まったく存在していなくてもよい。
【００３１】
さらに、これらの接続部材５の場所は変化させられ得る。たとえば、接続部材は、縁部部分から離れるように位置決めされ得り、中間層４を通して外側シェル２および内側シェル３を接続することが可能である。外側シェル２は、さまざまなタイプの衝撃に耐えるために、比較的に薄くて強くなっていることが可能である。外側シェル２は、ポリマー材料、たとえば、ポリカーボネート（ＰＣ）、ポリ塩化ビニル（ＰＶＣ）、またはアクリロニトリルブタジエンスチレン（ＡＢＳ）などから作製され得る。有利には、ポリマー材料は、ガラス繊維、アラミド、Ｔｗａｒｏｎ、炭素繊維、Ｋｅｖｌａｒまたは超高分子量ポリエチレン（ＵＨＭＷＰＥ）などのような材料を使用して、繊維強化され得る。
【００３２】
内側シェル３は、極めてより厚くなっており、エネルギー吸収層として作用する。そうであるので、それは、頭部に対する衝撃を減衰させるかまたは吸収することができる。それは、有利には、発泡ポリスチレン（ＥＰＳ）、発泡ポリプロピレン（ＥＰＰ）、発泡ポリウレタン（ＥＰＵ）、ビニールニトリル・フォームのようなフォーム材料；または、たとえば、ハニカムのような構造を形成する他の材料；または、ブランド名Ｐｏｒｏｎ（商標）およびＤ３Ｏ（商標）の下で販売されているものなどのような、歪み速度に敏感なフォームから作製され得る。構築は、たとえば、複数の層の異なる材料によって、異なる方式（それは、下記に現れる）で変化させられ得る。
【００３３】
内側シェル３は、衝撃のエネルギーを吸収するように設計されている。ヘルメット１の他のエレメントも、そのエネルギーを限られた程度に吸収することとなるが（たとえば、硬質の外側シェル２、または、内側シェル３の中に提供される、いわゆる「コンフォート・パッディング」）、それは、それらの一次的な目的ではなく、エネルギー吸収へのそれらの貢献は、内側シェル３のエネルギー吸収と比較してわずかである。実際に、コンフォート・パッディングなどのようないくつかの他のエレメントは、「圧縮可能な」材料から作製されており、そうであるので、他の文脈において「エネルギー吸収」としても考えられ得るが、ヘルメットの分野において、圧縮可能な材料は、ヘルメットの着用者への害を低減させる目的のために、必ずしも、衝撃の間の意味のある量のエネルギーを吸収するという意味での「エネルギー吸収」であるわけではないということが十分に認識される。
【００３４】
複数の異なる材料および実施形態が、中間層４または滑動促進体として使用され得り、それは、たとえば、油、ゲル、テフロン、マイクロスフェア、空気、ゴム、ポリカーボネート（ＰＣ）、ファブリック材料、たとえば、フェルトなどである。そのような層は、おおよそ０．１〜５ｍｍの厚さを有することが可能であるが、他の厚さも、選択される材料および望まれる性能に応じて使用され得る。ＰＣなどのような低摩擦プラスチック材料の層が、中間層４として好ましい。これは、外側シェル２の内側の表面（もしくは、より一般的には、外側シェル２の直接的に半径方向内向きになっているのがいずれの層であっても、その層内側の表面）に成形され得るか、または、内側シェル３の外側表面（もしくは、より一般的には、内側シェル３の直接的に半径方向外向きになっているのがいずれの層であっても、その層の外側の表面）に成形され得る。また、中間層の数およびそれらの位置決めは変化させられ得り、これの例が、（図３Ｂを参照して）下記に議論されている。
【００３５】
接続部材５は、たとえば、ゴム、プラスチック、または金属の変形可能なストリップから作製され得る。これらは、適切な様式で、外側シェルおよび内側シェルの中にアンカー固定され得る。
【００３６】
図２は、保護ヘルメット１の機能する原理を示しており、そこでは、ヘルメット１および着用者の頭蓋骨１０は、半円筒形状であると仮定され、頭蓋骨１０は、長手方向軸線１１の上に装着された状態になっている。ヘルメット１が斜めの衝撃Ｋを受けるときに、捩じり力およびトルクが、頭蓋骨１０に伝達される。衝撃力Ｋは、保護ヘルメット１に対して、接線方向の力ＫＴおよび半径方向の力ＫＲの両方を生じさせる。この特定の文脈において、ヘルメットが回転する接線方向の力ＫＴおよびその効果のみが、関心の対象である。
【００３７】
見ることができるように、力Ｋは、内側シェル３に対して外側シェル２の変位１２を生じさせ、接続部材５は変形させられている。最大でおおよそ７５％、および、平均でおおよそ２５％の、頭蓋骨１０に伝達される捩じり力の低減が、そのような配置によって取得され得る。これは、そうでなければ脳に伝えられる回転エネルギーの量を低減させる、内側シェル３と外側シェル２との間の滑動運動の結果である。
【００３８】
また、滑動運動は、これは示されていないが、保護ヘルメット１の円周方向に起こることも可能である。これは、外側シェル２と内側シェル３との間の円周方向の角度回転の結果によるものであり得る（すなわち、衝撃の間に、外側シェル２は、内側シェル３に対して所定の円周方向の角度だけ回転させられ得る）。図２は、外側シェルが滑動する間に、中間層４が内側シェル３に対して固定されているままであるということを示しているが、代替的に、中間層４は、内側シェル３が中間層４に対して滑動する間に、外側シェル２に固定されたままであることも可能である。さらに代替的に、外側シェル２および内側シェル３の両方が、中間層４に対して滑動することも可能である。
【００３９】
また、保護ヘルメット１の他の配置も可能である。いくつかの可能な変形例が、図３に示されている。図３ａでは、内側シェル３は、比較的に薄い外側層３”および比較的に厚い内側層３’から構築されている。外側層３”は、内側層３’よりも硬質であることが可能であり、外側シェル２に対する滑動を促進させることを助ける。図３ｂでは、内側シェル３は、図３ａのものと同じ様式で構築されている。しかし、このケースでは、２つの中間層４が存在しており、中間シェル６が、２つの中間層４の間に存在している。２つの中間層４は、そのように望まれる場合には、異なって具現化され、異なる材料から作製され得る。たとえば、１つの可能性は、外側中間層において、内側中間層よりも低い摩擦を有するといいうことである。図３ｃでは、外側シェル２が、以前のものとは異なって具現化されている。このケースでは、より硬質の外側層２”が、より軟質の内側層２’をカバーしている。内側層２’は、たとえば、内側シェル３と同じ材料であることが可能である。図１から図３は、層と層との間に半径方向の分離を示していないが、層と層との間にいくらかの分離が存在することも可能であり、スペースが、とりわけ、互いに対して滑動するように構成された層同士の間に設けられるようになっている。
【００４０】
図４は、ＷＯ２０１１／１３９２２４において議論されている種類の第２のヘルメット１を示しており、それは、また、斜めの衝撃に対する保護を提供することが意図されている。このタイプのヘルメットは、また、上記に議論されているヘルメットのタイプのいずれかであることが可能である。
【００４１】
図４では、ヘルメット１は、図１のヘルメットの内側シェル３と同様のエネルギー吸収層３を含む。エネルギー吸収層３の外側表面は、エネルギー吸収層３と同じ材料から提供され得るか（すなわち、追加的な外側シェルが存在しなくてもよい）、または、外側表面は、図１に示されているヘルメットの外側シェル２と同等のリジッドのシェル２（図５を参照）であることが可能である。そのケースでは、リジッドのシェル２は、エネルギー吸収層３とは異なる材料から作製され得る。図４のヘルメット１は、複数のベント７を有しており、複数のベント７は、随意的なものであり、エネルギー吸収層３および外側シェル２の両方を通って延在し、それによって、ヘルメット１を通る空気の流れを可能にする。
【００４２】
取り付けデバイス１３が、着用者の頭部へのヘルメット１の取り付けのために設けられている。先に議論されているように、これは、エネルギー吸収層３およびリジッドのシェル２のサイズが調節できないときに望ましい可能性がある。その理由は、取り付けデバイス１３のサイズを調節することによって、異なるサイズ頭部が収容されることを可能にするからである。取り付けデバイス１３は、弾性的なもしくは半弾性的なポリマー材料、たとえば、ＰＣ、ＡＢＳ、ＰＶＣ、もしくはＰＴＦＥなど、または、天然繊維材料、たとえば、綿布などから作製され得る。たとえば、テクスタイルのキャップまたはネットが、取り付けデバイス１３を形成することが可能である。
【００４３】
取り付けデバイス１３は、前側、後側、左側、および右側から延在するさらなるストラップ部分を備えたヘッド・バンド部分を含むものとして示されているが、取り付けデバイス１３の特定の構成は、ヘルメットの構成にしたがって変化することが可能である。いくつかのケースでは、取り付けデバイスは、連続的な（形状の）シートのようなものであることが可能であり、おそらく、孔部またはギャップ（たとえば、ベント７の位置に対応する）を備え、ヘルメットを通る空気の流れを可能にする。
【００４４】
また、図４は、特定の着用者のために取り付けデバイス１３のヘッド・バンドの直径を調節するための随意的な調節デバイス６を示している。他の配置では、ヘッド・バンドは、弾性的なヘッド・バンドであることが可能であり、そのケースでは、調節デバイス６は除外され得る。
【００４５】
滑動促進体４は、エネルギー吸収層３の半径方向内向きに設けられている。滑動促進体４は、エネルギー吸収層に対して、または、ヘルメットを着用者の頭部に取り付けるために設けられている取り付けデバイス１３に対して、滑動するように適合されている。
【００４６】
滑動促進体４は、上記に議論されているものと同じ様式で、取り付けデバイス１３に対するエネルギー吸収層３の滑動を支援するために設けられている。滑動促進体４は、低摩擦係数を有する材料であることが可能であり、または、そのような材料によってコーティングされ得る。
【００４７】
そうであるので、図４のヘルメットでは、滑動促進体は、取り付けデバイス１３に面する、エネルギー吸収層３の最も内側の側部の上に設けられ得るか、または、エネルギー吸収層３の最も内側の側部と一体化され得る。
【００４８】
しかし、エネルギー吸収層３と取り付けデバイス１３との間の滑動可能性を提供する同じ目的のために、滑動促進体４が、取り付けデバイス１３の外側表面の上に設けられ得るか、または、取り付けデバイス１３の外側表面と一体化され得るということも等しく考えられる。すなわち、特定の配置では、取り付けデバイス１３自身が、滑動促進体５として作用するように適合され得り、低摩擦材料を含むことが可能である。
【００４９】
換言すれば、滑動促進体４は、エネルギー吸収層３の半径方向内向きに設けられている。また、滑動促進体は、取り付けデバイス１３の半径方向外向きに設けられ得る。
【００５０】
取り付けデバイス１３が（上記に議論されているように）キャップまたはネットとして形成されているときには、滑動促進体４は、低摩擦材料のパッチとして提供され得る。
【００５１】
低摩擦材料は、ワキシー・ポリマー（ｗａｘｙ  ｐｏｌｙｍｅｒ）、たとえば、ΡＴＦΕ、ＡＢＳ、ＰＶＣ、ＰＣ、ナイロン、ＰＦＡ、ＥΕΡ、ＰＥ、およびＵＨＭＷＰＥなど、または、潤滑剤を染み込ませられ得る粉末材料であることが可能である。低摩擦材料は、ファブリック材料であることが可能である。議論されているように、この低摩擦材料は、滑動促進体およびエネルギー吸収層のいずれか一方または両方に適用され得る。取り付けデバイス１３は、図４の中の４つの固定部材５ａ、５ｂ、５ｃ、および５ｄなどのような、固定部材５によって、エネルギー吸収層３および／または外側シェル２に固定され得る。これらは、弾性的な、半弾性的な、または塑性的な方式で変形することによって、エネルギーを吸収するように適合され得る。しかし、これは、必須ではない。さらに、この特徴が存在する場合でも、吸収されるエネルギーの量は、通常は、衝撃の間にエネルギー吸収層３によって吸収されるエネルギーと比較わずかである。
【００５２】
図４に示されている実施形態によれば、４つの固定部材５ａ、５ｂ、５ｃ、および５ｄは、第１の部分８および第２の部分９を有するサスペンション部材５ａ、５ｂ、５ｃ、５ｄであり、サスペンション部材５ａ、５ｂ、５ｃ、５ｄの第１の部分８は、取り付けデバイス１３に固定されるように適合されており、サスペンション部材５ａ、５ｂ、５ｃ、５ｄの第２の部分９は、エネルギー吸収層３に固定されるように適合されている。
【００５３】
図５は、着用者の頭部の上に設置されているときの、図４のヘルメットと同様のヘルメットの実施形態を示している。図５のヘルメット１は、エネルギー吸収層３とは異なる材料から作製された硬質の外側シェル２を含む。図４とは対照的に、図５では、取り付けデバイス１３が、２つの固定部材５ａ、５ｂによってエネルギー吸収層３に固定されており、２つの固定部材５ａ、５ｂは、弾性的に、半弾性的に、または塑性的に、エネルギーおよび力を吸収するように適合されている。
【００５４】
回転力をヘルメットに生成させる正面斜めの衝撃Ｉが、図５に示されている。斜めの衝撃Ｉは、エネルギー吸収層３が取り付けデバイス１３に対して滑動することを引き起こす。取り付けデバイス１３は、固定部材５ａ、５ｂによってエネルギー吸収層３に固定されている。明確化のために、２つのそのような固定部材だけが示されているが、実際には、多くのそのような固定部材が存在していてもよい。固定部材５は、弾性的にまたは半弾性的に変形することによって回転力を吸収することが可能である。他の配置では、変形は、塑性的であることが可能であり、固定部材５のうちの１つまたは複数の切断を結果として生じさせる可能性もある。塑性的な変形のケースでは、少なくとも固定部材５は、衝撃の後に交換される必要があることとなる。いくつかのケースでは、固定部材５の塑性的な変形および弾性的な変形の組み合わせが起こる可能性があり、すなわち、いくつかの固定部材５が破断し、エネルギーを塑性的に吸収し、一方、他の固定部材５は、弾性的に変形し、力を吸収する。
【００５５】
一般的に、図４および図５のヘルメットでは、衝撃の間に、エネルギー吸収層３は、図１のヘルメットの内側シェルと同じように、圧縮することによって衝撃吸収体として作用する。外側シェル２が使用される場合には、外側シェル２は、エネルギー吸収層３の上に衝撃エネルギーを分散させることを助けることとなる。また、滑動促進体４は、取り付けデバイスとエネルギー吸収層との間の滑動を可能にすることとなる。これは、そうでなければ回転エネルギーとして脳に伝達されることとなるエネルギーを消散させるために、制御された方式を可能にする。エネルギーは、摩擦熱、エネルギー吸収層の変形、または、固定部材の変形もしくは変位によって、消散され得る。低減されたエネルギー伝達は、脳に影響を与える回転加速度の低減を結果として生じさせ、したがって、頭蓋骨の中の脳の回転を低減させる。ＭＴＢＩを含む回転障害、ならびに、より深刻な外傷性脳損傷、たとえば、硬膜下血腫、ＳＤＨ、血管破裂、脳震とう、およびＤＡＩなどのリスクが、それによって低減される。
【００５６】
図６は、本発明によるヘルメット１の第１の実施形態を示している。ヘルメット１は、内側シェル３と、取り外し可能な外側シェル２と、内側シェル３と外側シェル２との間の中間層４とを含む。図６（および後続の図）に示されているこれらのヘルメット・パーツ同士の間の間隔は、誇張されているということが留意されるべきである。たとえば、実際には、ヘルメット・パーツは、接触した状態になっていてもよい。外側シェル２が取り付けられているときには、外側シェル２および内側シェル３は、衝撃に応答して互いに対して滑動するように構成されている。滑動インターフェースが、中間層４と内側シェル３との間に設けられている。ヘルメットの残りの部分から外側シェルを取り外し可能であるということは、ヘルメットの特定のパーツ、たとえば、その機能的な完全性が損なわれていないものを保ちながら、ヘルメットの特定のパーツ、たとえば、その機能的な完全性が損なわれているものの交換を可能にする。したがって、ヘルメット・パーツの不必要な廃棄が回避され得る。
【００５７】
中間層４は、低摩擦材料から形成されており、内側シェル３は、低摩擦材料に接触して滑動するように構成されている。たとえば、低摩擦材料は、ＰＣであることが可能であるが、上記に説明されている代替例のいずれかが、代わりに使用されることも可能である。内側シェル３は、圧縮によって衝撃エネルギーを吸収するように構成されたエネルギー吸収材料を含むことが可能である。たとえば、エネルギー吸収材料は、ＥＰＰから形成され得るが、上記に説明されている代替例のいずれかが、その代わりに使用されることも可能である。外側シェル２は、内側シェル３と比べて硬質の材料から形成され得る。たとえば、外側シェル２は、Ｋｅｖｌａｒから形成され得るが、上記に説明されている代替例のいずれかが、その代わりに使用されることも可能である。
【００５８】
ヘルメット１は、内側シェル３および外側シェル２を接続するために使用される複数の接続部材５を含むことが可能である。接続部材５は、外側シェル２がヘルメット１に取り付けられているときに、内側シェル３と外側シェル２との間の滑動を可能にするように構成され得る。具体的には、接続部材５は、内側シェル３と外側シェル２との間の滑動を許容するように変形可能であり得る。たとえば、接続部材５は、内側シェル３および外側シェル２を間接的に接続することが可能であり、接続部材が、（図６に示されているように）内側シェル３を中間層４に直接的に接続することが可能である。接続部材５は、外側シェル２または内側シェル３のうちの他方に対して滑動が起こる任意の方向への、たとえば、外側シェル２または内側シェル３の表面に対して平行の任意の方向への、滑動を可能にするように構成され得る。
【００５９】
本実施形態では、外側シェル２は、中間層４に取り外し可能に接続されている。中間層４は、衝撃の間に外側シェル２に対して固定された位置に留まるように構成されており、外側シェル２への取り外し可能な接続によって固定されている。たとえば、図７から図１４に示されており、下記に説明されている、取り外し可能な接続手段１５が使用され得る。それぞれのケースでは、１つまたは複数の取り外し可能な接続手段１５が、ヘルメットの縁部の周りの異なる場所に設けられ得る。取り外し可能な接続は、スナップ・フィット接続であることが可能である。
【００６０】
図７の例に示されているように、取り外し可能な接続手段１５は、外側シェル２の内側表面の中に凸形部分１５ａを含み、また、中間層４の外側表面の中に対応する凹形部分１５ｂを含むことが可能である。
【００６１】
外側シェル２を中間層４に取り付けるために、外側シェル２は、凸形部分１５ａおよび凹形部分１５ｂが整合させられるまで（そのポイントにおいて、凸形部分１５ａは、凹形部分１５ｂの中へスナップ嵌合する）、内側シェル３の上に押し付けられる。凸形部分１５ａおよび凹形部分１５ｂが整合させられるまで、中間層４および／または外側シェル２は、中間層４の外側表面に対する凸形部分１５ａの圧力によって変形させられる。したがって、凸形部分１５ａおよび凹形部分１５ｂが整合させられるときに、中間層４および／または外側シェル２の変形がより少なくなるときに、「スナップ」が起こる。
【００６２】
外側シェル２は、凸形部分１５ａが凹形部分１５ｂから分離するように、中間層４および／または外側シェル２を変形させることによって取り外され得る。凸形部分１５ａおよび／または凹形部分１５ｂは、傾斜した側部を有することが可能である。これは、凸形部分１５ａおよび凹形部分１５ｂの分離を支援することが可能である。取り外し可能な接続手段１５は、ヘルメット１の縁部の近くに設けられ得る。複数のそのような取り外し可能な接続手段が、ヘルメット１の周りに設けられ得る。代替的に、凸形部分１５ａおよび凹形部分１５ｂは、ヘルメット１の縁部の周りに連続的になっていてもよい。
【００６３】
凹形部分１５ｂの代わりに、貫通穴が、中間層４の中に設けられ得り、この貫通穴が、外側シェル２の凸形部分１５ａと係合する。凸形部分１５ａおよび凹形部分１５ｂ（または、貫通穴）の場所は、逆にされてもよい。したがって、凸形部分１５ａおよび凹形部分１５ｂ（または、貫通穴）は、それぞれ、中間層の外側表面、および、外側シェル２の内側表面の上に設けられ得る。
【００６４】
図８の例に示されているように、取り外し可能な接続手段１５は、外側シェル２の内側表面の中に凸形部分１５ｃを含むことが可能である。ちょうど中間層４の縁部の下方の位置に対応する、外側シェル２の内側表面の上の位置に、凸形部分１５ｃが位置付けされるように、凸形部分１５ｃは配置されている。凸形部分１５ｃは、中間層４の縁部の周りに引っ掛かるように構成されている。
【００６５】
外側シェル２を中間層４に取り付けるために、外側シェル２は、凸形部分１５ｃが中間層４の縁部に到達するまで（そのポイントにおいて、凸形部分１５ｃは、中間層４の縁部の周りにスナップ嵌合する）、内側シェル３の上に押し付けられる。凸形部分１５ｃが中間層４の縁部に到達するまで、中間層および／または外側シェルは、中間層４の外側表面に対する凸形部分１５ｃの圧力によって変形させられ、したがって、凸形部分１５ｃが中間層４の縁部に到達するときに、中間層および／または外側シェルの変形がより少なくなるときに、「スナップ」が起こる。
【００６６】
外側シェル２は、凸形部分１５ｃが中間層４の縁部から外れるように、中間層４および／または外側シェル２を変形させるのに十分な力を印加することによって取り外され得る。複数のそのような取り外し可能な接続手段が、ヘルメット１の縁部の周りに設けられ得る。代替的に、凸形部分１５ｃは、ヘルメット１の縁部の周りに連続的になっていてもよい。
【００６７】
図９は、図８に示されている取り外し可能な接続手段１５の修正例を示している。図９に示されているように、取り外し可能な接続手段１５は、追加的に、解放部材１５ｄを含むことが可能である。解放部材１５ｄ、たとえば、可撓性のストラップは、中間層４が外側シェル２とスナップ・フィットするように構成されている場所において、中間層４の縁部に接続されている。解放部材１５ｄは、解放部材１５ｄを引っ張ることによって、ユーザーが中間層４を外側シェル２からより容易に分離することを可能にする。解放部材１５ｄを引っ張ることは、解放部材１５ｄに接続されている中間層４に力を加え、中間層４を外側シェル２の凸形部分１５ｃから外すようになっている。
【００６８】
図１０の例に示されているように、取り外し可能な接続手段１５は、突出部を含むことが可能であり、突出部は、外側シェル２に接続されており、中間層４の中の貫通孔部を介して中間層４とスナップ・フィットするように構成されている。突出部の先端部は、先端部が中間層４の中の貫通孔部を通過するときに、先端部が変形し、次いで、先端部が貫通孔部を通過するとその非変形状態へと「スナップ」して戻るように構成され得る。中間層を外側シェル２から分離するのに十分な力を印加することによって、突出部の先端部が、外側シェル２を中間層４から取り外すために変形させられ、貫通孔部を通過させて戻され得る。
【００６９】
図１０に示されているように、突出部は、たとえば、先端部から突出部の反対側端部に提供される実質的に平坦な装着表面によって、外側シェル２の内側表面に取り付けられ得る。突出部は、たとえば、接着剤によって、外側シェル２に取り付けられ得る。
【００７０】
また、図１０に示されているように、内側シェル３は、取り外し可能な接続手段１５の先端部が中間層４を通って突出するためのスペースを提供するために、取り外し可能な接続手段１５に対応する場所に、インデント付き部分を含むことが可能である。
【００７１】
図１１の例に示されているように、取り外し可能な接続手段１５は、中間層４に関連付けられた凸形部分１５ａと、外側シェル２に関連付けられた対応する凹形部分１５ｂとを含むことが可能である。図１１に示されている例では、凸形部分１５ａは、たとえば、中間層４の縁部において、中間層４に取り付けられている回転部材の一部である。回転部材を回転させることによって、凸形部分１５ａが凹形部分１５ｂの中におよび凹形部分１５ｂから外へ移動し、したがって、外側シェル２を中間層４に取り付ける／中間層４から取り外すように、回転部材は構成されている。
【００７２】
図１１に示されているように、凹形部分１５ｂは、（たとえば、接着剤によって）外側シェル２の内側の表面に取り付けられている別々の部材の中に設けられ得る。しかし、凹形部分１５ｂは、代替的に、外側シェル２自身の中に設けられ得る。
【００７３】
図１１に示されているように、内側シェル３は、取り外し可能な接続手段１５の回転部材のためのスペースを提供するために、取り外し可能な接続手段１５に対応する場所に、インデント付き部分を含むことが可能である。
【００７４】
図１２の例に示されているように、取り外し可能な接続手段１５は、第１および第２のクランピング・エレメント１５ｅ、１５ｆならびに締め付け手段１５ｇを含むことが可能である。第１および第２のクランピング・エレメント１５ｅ、１５ｆは、外側シェル２の一部分および中間層４の一部分を収容するように構成されたギャップをそれらの間に伴って、互いに向き合っている。締め付け手段１５ｇは、クランピング・エレメント１５ｅと１５ｆとの間のギャップを低減させる方向に力を印加するように構成されており、外側シェル２の一部分および中間層４の一部分をそれらの間にクランプするようになっている。したがって、外側層２および中間層４は、一緒に取り付けられ得る。外側シェル２を中間層４から取り外すために、締め付け手段１５ｇは、外側シェル２が中間層４から分離され得るように緩められる。１つまたは複数の取り外し可能な接続手段１５は、ヘルメットの縁部の周りの異なる場所に設けられ得る。
【００７５】
図１２に示されているように、締め付け手段１５ｇは、レバーを含むことが可能であり、レバーは、第１および第２のクランピング・エレメント１５ｅおよび１５ｆを通過しているスクリューに接続されている。レバーが回転させられるときに、レバーは、スクリューのネジ山に沿って移動し、したがって、取り外し可能な接続手段１５を締め付ける。
【００７６】
図１３は、取り外し可能な接続手段１５のさらなる例を示している。この例は、それが第１および第２のクランピング・エレメント１５ｅ、１５ｆを含み、第１および第２のクランピング・エレメント１５ｅ、１５ｆが互いに向かい合っており、外側シェル２の一部分および中間層４の一部分を収容するためのギャップをその間に設けられているという点において、以前の例と同様である。しかし、締め付け手段１５ｇの代わりに、取り外し可能な接続手段１５は、付勢手段１５ｈをさらに含むことが可能であり、付勢手段１５ｈは、クランピング・エレメント１５ｅ、１５ｆの間に外側シェル２および中間層４をクランプするために付勢力またはスプリング力を提供するように構成されている。
【００７７】
図１３に示されているように、クランピング・エレメント１５ｅ、１５ｆおよび付勢エレメント１５ｈを含む、取り外し可能な接続手段１５は、単一の構造体として、たとえば、プラスチックなどのような材料から形成され得る。
【００７８】
取り外し可能な接続手段１５の別の例が、図１４に示されている。図１４に示されているように、取り外し可能な接続手段１５は、中間層４に関連付けられた突出部１５ｊと、外側シェル２に関連付けられたチャネル１５ｉとを含むことが可能である。突出部１５ｊは、チャネル１５ｉと係合するように構成されている。チャネル１５ｉは、実質的にＺ字形状になっていることが可能であり、突出部１５ｊが、Ｚ字形状の一方の端部においてチャネル１５ｉに進入するように構成されており、前記端部は、外側シェル２の縁部に向けて設けられている。したがって、突出部１５ｊは、外側シェル２に対して中間層４を移動させることによって、Ｚ字形状のチャネル１５ｉの一方の端部から他方の端部へ移動させられ得る。したがって、中間層４は、取り外し可能な方式で、外側シェル２に対して適切な位置にロックされ得る。
【００７９】
突出部１５ｊは、好ましくは、突出部１５ｊの先端部にフランジ部分を含む。チャネルは、好ましくは、フランジを収容するように構成されたより幅の広い部分と、幅の狭い部分とを含むように構成されており、突出部１５ｊが突出部１５ｊの長手方向に（取り外し可能な接続手段１５の場所のヘルメットの半径方向に対応する）チャネル１５ｉから分離される場合には、フランジが幅の狭い部分を通過することができないようになっている。より幅の広い部分は、図１４の中の点線によって示されている。
【００８０】
図１５は、本発明によるヘルメット１の第２の実施形態を示している。第２の実施形態のヘルメット１は、ほとんどの態様において、第１の実施形態のヘルメット１と同様である。しかし、中間層４は、接続部材５に取り外し可能に接続されている。これは、第１の実施形態に関係して説明されているような、中間層４に取り外し可能に接続されている外側シェル２の代替的なものであるか、または、追加的なものであることが可能である。
【００８１】
接続部材５は、面ファスナーの取り外し可能な接続手段、たとえば、Ｖｅｌｃｒｏ（商標）によって、中間層４に取り外し可能に取り付けられ得る。しかし、たとえば、スナップ・フィット接続手段など、任意の他の適切な手段も使用され得る。面ファスナーの取り外し可能な接続手段は、ループ付きパーツ１６およびフック付きパーツ１７を含む。ループ付きパーツ１６は、接続部材５に取り付けられ得り、フック付きパーツ１７は、内側シェル３に取り付けられ得る。しかし、反対側の配置も、等しく適切である。フック付きパーツ１６のフックは、ループ付きパーツ１７のループの中へ引っ掛かり、取り外し可能な接続を提供する。ループ付きパーツ１６およびフック付きパーツ１７は、任意の適切な手段、たとえば、接着剤によって、それぞれ、接続部材５および内側シェル３に取り付けられ得る。接続手段５は、任意の適切な手段、たとえば、接着剤によって、内側シェル３に取り付けられ得る。
【００８２】
第２の実施形態の修正例では（図には示されていない）、内側シェル３は、上記に説明されているものと同じ方式で、接続部材５に取り外し可能に接続され得る。この修正例では、接続手段５は、任意の適切な手段、たとえば、接着剤によって、中間層４に取り付けられ得る。代替的に、内側シェル３および中間層４の両方が、上記に説明されているように、接続部材５に取り外し可能に接続され得る。
【００８３】
図１６は、本発明によるヘルメット１の第３の実施形態を示している。第３の実施形態のヘルメット１は、第１の実施形態のヘルメット１と同様である。しかし、接続部材５は、内側シェル３および中間層４を直接的に接続する代わりに、外側シェル２を中間層４に直接的に接続している。たとえば、外側シェル２は、接続部材５に取り外し可能に接続され得る。滑動インターフェースが、中間層４と外側シェル２との間に設けられ得る。ヘルメット１は、中間層４が衝撃の間に内側シェル３に対して固定された位置に留まるように構成され得る。
【００８４】
接続部材５は、面ファスナーの取り外し可能な接続手段、たとえば、Ｖｅｌｃｒｏ（商標）によって、外側シェル２に取り外し可能に取り付けられ得る。しかし、たとえば、スナップ・フィット接続手段など、任意の他の適切な手段も使用され得る。面ファスナーの取り外し可能な接続手段は、ループ付きパーツ１６およびフック付きパーツ１７を含む。図１０に示されている実施形態では、ループ付きパーツ１６は、接続部材５に取り付けられており、フック付きパーツ１７は、外側シェル２に取り付けられている。しかし、反対側の配置も、等しく適切である。フック付きパーツ１６のフックは、ループ付きパーツ１７のループの中へ引っ掛かり、取り外し可能な接続を提供する。ループ付きパーツ１６およびフック付きパーツ１７は、任意の適切な手段、たとえば、接着剤によって、それぞれ、接続部材５および外側シェル２に取り付けられ得る。接続手段５は、任意の適切な手段、たとえば、接着剤によって、中間層４に取り付けられ得る。
【００８５】
第３の実施形態の修正例では（図には示されていない）、中間層４は、上記に説明されているものと同じ方式で、接続部材５に取り外し可能に接続され得る。この修正例では、接続手段５は、任意の適切な手段、たとえば、接着剤によって、外側シェル２に取り付けられ得る。代替的に、外側シェル２および中間層４の両方が、上記に説明されているように、接続部材５に取り外し可能に接続され得る。
【００８６】
図１７は、本発明によるヘルメット１の第４の実施形態を示している。第４の実施形態のヘルメット１は、ほとんどの態様において、第３の実施形態のヘルメット１と同様である。しかし、中間層４は、内側シェル３に取り外し可能に接続されている。中間層４と内側シェル３との間の取り外し可能な接続手段は、中間層４と外側シェル３との間の、図７から図１４に関係して上記に説明されているものと同じであることが可能である。したがって、図７および図８に関係して説明されている凸形部分および凹形部分（または、貫通穴）が、中間層４および内側シェル３の上に設けられ得る。換言すれば、「外側シェル２」は、図７から図１４の例に対応する説明において、「内側シェル３」によって交換され得る。
【００８７】
図１８は、本発明によるヘルメット１の第５の実施形態を示している。第５の実施形態のヘルメット１は、ほとんどの態様において、第１の実施形態のヘルメット１と同様である。しかし、接続部材５は、外側シェル２がヘルメット１に取り付けられているときに、内側シェル３および中間層４を直接的に接続する代わりに、内側シェル３を外側シェル２に直接的に接続している。たとえば、外側シェル４は、接続部材５に取り外し可能に接続され得る。そのような配置は、接続部材が２つの機能性（すなわち、滑動を可能にする接続を提供するということ、および、ヘルメットに関して取り外し可能な取り付けポイントとして作用するということ）を有するという点において、有利である可能性がある。これは、ヘルメットがより少ない異なるパーツを必要とし、より容易に製造されるということを意味する可能性がある。
【００８８】
図１８に示されているように、中間層４は、少なくとも１つの接続部材５のそれぞれに関連付けられた孔部１４を有することが可能である。ヘルメット１は、内側３と外側シェル２との間のそれぞれの接続部材５が関連の孔部１４を通過するように構成され得る。そのような配置は、中間層が接続部材の周りに配置され得るので、ヘルメットが簡単に構築され得るという点において、有利である可能性がある。それぞれの孔部１４は、孔部１４を通過する接続部材５が孔部１４の縁部と接触することなく、衝撃の間の内側シェル３と外側シェル２との間の滑動を可能にするのに十分に大きくなっていることが可能である。この配置は、滑動が接続部材によって許容される最大範囲まで提供され得るので、有利である可能性がある。
【００８９】
接続部材５は、面ファスナーの取り外し可能な接続手段、たとえば、Ｖｅｌｃｒｏ（商標）によって外側シェル２に取り外し可能に取り付けられ得る。しかし、たとえば、スナップ・フィット接続手段など、任意の他の適切な手段も使用され得る。面ファスナーの取り外し可能な接続手段は、ループ付きパーツ１６およびフック付きパーツ１７を含む。図１８に示されているように、ループ付きパーツ１６は、接続部材５に取り付けられ得り、フック付きパーツ１７は、外側シェル２に取り付けられ得る。しかし、反対側の配置も、等しく適切である。フック付きパーツ１６のフックは、ループ付きパーツ１７のループの中へ引っ掛かり、取り外し可能な接続を提供する。ループ付きパーツ１６およびフック付きパーツ１７は、任意の適切な手段、たとえば、接着剤によって、それぞれ、接続部材５および外側シェル２に取り付けられ得る。接続手段５は、任意の適切な手段、たとえば、接着剤によって、内側シェル３に取り付けられ得る。
【００９０】
図１７に示されている第５の実施形態の修正例では、内側シェル３は、上記に説明されているものと同じ方式で、接続部材５に取り外し可能に接続され得る。接続手段５は、任意の適切な手段、たとえば、接着剤によって、外側シェル２に取り付けられ得る。代替的に、内側シェル３および外側シェル２の両方が、上記に説明されているように、接続部材５に取り外し可能に接続され得る。
【００９１】
図１８に示されているように、滑動インターフェースが、中間層４と外側シェル２との間に設けられ得る。ヘルメット１は、中間層４が衝撃の間に内側シェル３に対して固定された位置に留まるように構成され得る。中間層４は、任意の適切な手段、たとえば、接着剤によって、内側シェル３に固定され得る。
【００９２】
図１９に示されているように、滑動インターフェースが、中間層４と内側シェル２との間に設けられ得る。ヘルメット１は、中間層４が衝撃の間に外側シェル３に対して固定された位置に留まるように構成され得る。中間層４は、任意の適切な手段、たとえば、接着剤によって、外側シェル２に固定され得る。
【００９３】
図２０は、第５の実施形態のさらなる修正例を示している。図２０に示されているように、接続部材は、２つのパーツ５Ａ、５Ｂから構成されている。第１のパーツ５Ａは、中間層４よりも内向きに（すなわち、着用者の頭部のより近くに）設けられており、第２のパーツ５Ｂは、（たとえば、貫通穴を介して）中間層４を通過し、第１のパーツ５Ａを外側シェル２に接続している。第１のパーツ５Ａは、内側シェル３に直接的に接続しており、内側シェル３と外側シェル２との間の滑動を可能にするように構成されている。たとえば、第１のパーツ５Ａは、変形可能であり得る。外側シェル２は、第２のパーツ５Ｂを第１のパーツ５Ａから切り離すことによって、ヘルメットから取り外され得る。第１および第２のパーツ５Ａ、５Ｂは、取り外し可能な接続手段を一緒に形成することが可能である。
【００９４】
図２０に示されているように、第２のパーツ５Ｂは、外側シェル２を通過するボルトまたはスクリューを含むことが可能である。図２０に示されているように、第１のパーツ５Ａは、内側シェル３の中の凹部またはカット・アウトの中に位置決めされ得り、たとえば、圧入配置によって、内側シェル３の延在方向に対して平行の方向に内側シェル３に取り付けることが可能である。
【００９５】
中間層４は、第１のパーツ５Ａと外側シェル２との間にクランプされることによって、外側シェル２に対して適切な位置に固定され得る。滑動が、中間層４と内側シェル３との間のインターフェースにおいて起こる。
【００９６】
２つ以上の滑動インターフェースが設けられる、さらなる実施形態も可能である。たとえば、滑動インターフェースは、中間層４と内側シェル３との間、および、中間層４と外側シェル４との間の両方に設けられ得る。
【００９７】
第６の実施形態では、滑動インターフェースは、中間層４と内側シェル３との間、および、中間層４と外側シェル４との間の両方に設けられている。この実施形態では、少なくとも１つの第１の接続部材５が、外側シェル２を中間層４に直接的に接続しており、少なくとも１つのさらなる第２の接続部材５が、内側シェル３を中間層４に直接的に接続している。第１および第２の接続部材５のうちの少なくとも１つが、中間層４に取り外し可能に接続され得り、および／または、第１および第２の接続部材５のうちの少なくとも１つが、それぞれ、内側シェル３および外側シェル２に取り外し可能に接続され得る。接続部材５と、中間層４、内側シェル３、または外側シェル２との間の取り外し可能な接続は、第２および第３の実施形態に関係して上記に説明されているようになっていることが可能である。
【００９８】
第７の実施形態では、滑動インターフェースは、中間層４と内側シェル３との間、および、中間層４と外側シェル４との間の両方に設けられている。この実施形態では、接続部材５は、第５の実施形態および図１８および図１９に関係して上記に説明されているように、中間層４の中の孔部を通して、内側シェルおよび外側シェル２を直接的に接続している。しかし、第７の実施形態では、滑動層は、内側シェル３または外側シェル２のいずれかに対して固定されていなくてもよい。中間層４は、ヘルメットの任意の他のパーツに固定されていなくてもよい。中間層４は、孔部１４を通過する接続部材５によって適切な場所に保持され得る。
【００９９】
上記に説明されている実施形態の変形例が、上記の教示に照らして可能である。本発明は、本発明の精神および範囲から逸脱することなく、本明細書で具体的に説明されているもの以外の方法で実践され得るということが理解されるべきである。
【図１】
0006977040.tif 000002
【図２】
0006977040.tif 000003
【図３Ａ】
0006977040.tif 000004
【図３Ｂ】
0006977040.tif 000005
【図３Ｃ】
0006977040.tif 000006
【図４】
0006977040.tif 000007
【図５】
0006977040.tif 000008
【図６】
0006977040.tif 000009
【図７】
0006977040.tif 000010
【図８】
0006977040.tif 000011
【図９】
0006977040.tif 000012
【図１０】
0006977040.tif 000013
【図１１】
0006977040.tif 000014
【図１２】
0006977040.tif 000015
【図１３】
0006977040.tif 000016
【図１４】
0006977040.tif 000017
【図１５】
0006977040.tif 000018
【図１６】
0006977040.tif 000019
【図１７】
0006977040.tif 000020
【図１８】
0006977040.tif 000021
【図１９】
0006977040.tif 000022
【図２０】
0006977040.tif 000023